(57)【要約】【課題】インターホン機能を利用した浴室モニター機能で、小さな音でも聞き取りやすく、大きな音はうるさくない音量にすること。【解決手段】ふろリモコン１のマイク回路９に自動増幅率制御回路３を設けることによって、ふろリモコン１のマイク２に入力される音が小さい場合は、マイク入力信号の増幅率を大きくし、台所リモコンで聞く音を適度に大きくでき、ふろリモコン１のマイク２に入力される音が大きい場合は、マイク入力信号の増幅率を小さくし、台所リモコン１１で聞く音を適度に小さくできる。【選択図】図１
2007278598.tif 000002
【特許請求の範囲】
【請求項１】
給湯機のふろリモコンのマイクで浴室内の音を入力し、台所リモコンのスピーカーで出力する浴室モニター機能を備えた給湯機リモコンにおいて、ふろリモコンのマイク回路に自動増幅率制御回路を設けた給湯機リモコン。
【請求項２】
給湯機のふろリモコンのマイクで浴室内の音を入力し、台所リモコンのスピーカーで出力する浴室モニター機能を備えた給湯機リモコンにおいて、台所リモコンのスピーカー回路に自動増幅率制御回路を設けた給湯機リモコン。
【発明の詳細な説明】
【技術分野】
【０００１】
本発明は、浴室内外のリモコン間で浴室モニター機能を備えた給湯機のリモコンに関するものである。
【背景技術】
【０００２】
近年においても、浴室内で入浴中に亡くなられる方が、年間１万人以上にものぼっている。
【０００３】
このような事態をふまえ、浴室暖房等、浴室での事故を防止する機器の普及が進められている。しかしながら、浴室で発生した事故を検知する機器については、機器が高価であったり、その設置が工事を伴うものであったり、なかなか普及できていない状況にある。
【０００４】
そのような中で、従来の、給湯機のリモコンに備えるインターホン機能を利用し、浴室内の音をモニターし、入浴者の状況を確認する給湯機のリモコンは知られている。（例えば、特許文献１参照）
このような給湯機のリモコンでは、浴室の音をふろリモコンのマイクで拾い、台所リモコンに送信することにより、台所リモコンのスピーカーで、浴室の音を常時聞くことができる。この機能を、浴室モニター機能と呼ぶ。
【特許文献１】特開２００１−２０８４２２号公報
【発明の開示】
【発明が解決しようとする課題】
【０００５】
しかしながら、前記従来の給湯機のリモコンでは、浴室の音を台所リモコン側で常時聞くことにより、浴室の状況を把握している。その時の浴室モニターの音量は、台所リモコンで調整できるものもある。しかし、浴室内の音は、入浴中においては、シャワーの音や、洗面器を置く音など、大きな音もある反面、湯船につかっている間は、小さな音であるなど、さまざまである。
【０００６】
よって、浴室内での事故、例えば、意識を失いかけて、小さな声で助けを呼んでいる状態を、浴室モニター機能で確認できるようにするためには、浴室モニターの音量を大きく設定する必要があった。しかし、浴室モニターの音量を大きくすると、通常の入浴時に発生するシャワーの音などが大きく、台所リモコンでうるさくなり、使い勝手が悪いという課題があった。
【０００７】
本発明は、前記従来の課題を解決するもので、浴室モニター機能の使い勝手を良くし、浴室モニター本来の機能を向上させることを目的とする。
【課題を解決するための手段】
【０００８】
前記従来の課題を解決するために、本発明の給湯機リモコンは、給湯機のふろリモコンのマイクで浴室内の音を入力し、台所リモコンのスピーカーで出力する浴室モニター機能を備え、ふろリモコンのマイク回路に自動増幅率制御回路を設けたものである。これによって、ふろリモコンのマイクに入力される音が小さい場合は、マイク入力信号の増幅率を大きくし、台所リモコンで聞く音を大きくでき、ふろリモコンのマイクに入力される音が大きい場合は、マイク入力信号の増幅率を小さくし、台所リモコンで聞く音を小さくできる。
【０００９】
また、本発明の給湯機リモコンは、給湯機のふろリモコンのマイクで浴室内の音を入力
し、台所リモコンのスピーカーで出力する浴室モニター機能を備え、台所リモコンのスピーカー回路に自動増幅率制御回路を設けたものである。これによって、台所リモコンのスピーカー回路に入力される音信号が小さい場合は、スピーカー回路の増幅率を大きくし、台所リモコンで聞く音を大きくでき、台所リモコンのスピーカー回路に入力される音信号が大きい場合は、スピーカー回路の増幅率を小さくし、台所リモコンで聞く音を小さくできる。
【発明の効果】
【００１０】
本発明の給湯機リモコンは、浴室モニター機能で聞く音が、浴室内の音が小さい場合でも、台所リモコンでは適度な大きさに大きくなって聞こえ、浴室内の音が大きな場合では、適度な大きさに小さくなって聞こえる。よって、小さな音でも聞こえやすくなり、浴室内事故に気づきやすくなる。また、大きな音は小さくなって聞こえるので、わずらわしくなく、使い勝手が良くなる。
【発明を実施するための最良の形態】
【００１１】
第１の発明は、給湯機のふろリモコンのマイクで浴室内の音を入力し、台所リモコンのスピーカーで出力する浴室モニター機能を備えた給湯機リモコンにおいて、ふろリモコンのマイク回路に自動増幅率制御回路を設けたことにより、ふろリモコンのマイクに入力される音が小さい場合は、マイク入力信号の増幅率を大きくし、台所リモコンで聞く音を大きくでき、ふろリモコンのマイクに入力される音が大きい場合は、マイク入力信号の増幅率を小さくし、台所リモコンで聞く音を大きくできる。よって、小さな音でも聞こえやすくなり、浴室内事故に気づきやすくなる。また、大きな音は小さくなって聞こえるので、わずらわしくなく、使い勝手が良くなる。
【００１２】
第２の発明は、給湯機のふろリモコンのマイクで浴室内の音を入力し、台所リモコンのスピーカーで出力する浴室モニター機能を備えた給湯機リモコンにおいて、台所リモコンのスピーカー回路に自動増幅率制御回路を設けたことにより、台所リモコンのスピーカー回路に入力される音信号が小さい場合は、スピーカー回路の増幅率を大きくし、台所リモコンで聞く音を大きくでき、台所リモコンのスピーカー回路に入力される音信号が大きい場合は、スピーカー回路の増幅率を小さくし、台所リモコンで聞く音を小さくできる。よって、小さな音でも聞こえやすくなり、浴室内事故に気づきやすくなる。また、大きな音は小さくなって聞こえるので、わずらわしくなく、使い勝手が良くなる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯機リモコンを備えた給湯機のブロック図を示すものである。
【００１５】
図１において、ふろリモコン１では、マイク２と、マイク用自動増幅率制御回路３と、スピーカー４と、スピーカー用増幅回路５と、通信手段６で、インターホン機能が構成されている。マイク回路９は、マイク２とマイク用自動増幅率制御回路３で構成され、スピーカー回路１０は、スピーカー４とスピーカー用増幅回路５で構成される。また、マイコン７は、通話スイッチ８を入力し、通信手段６の起動／停止を行う。
【００１６】
台所リモコン１１では、マイク１２と、マイク用増幅回路１３と、スピーカー１４とスピーカー用増幅回路１５と、通信手段１６でインターホン機能が構成されている。マイク回路１９は、マイク１２とマイク用増幅回路１３で構成され、スピーカー回路２０は、スピーカー１４とスピーカー用増幅回路１５で構成される。また、マイコン１７は、通話ス
イッチ１８を入力し、通信手段１６の起動／停止を行う。タイマー手段１９は、マイコン１７に接続されている。給湯機２１は、ふろリモコン１と台所リモコン１１に接続されている。
【００１７】
以上のように構成された給湯機リモコンについて、以下その動作、作用を説明する。
【００１８】
まず、浴室の状況を把握しようとした場合、台所リモコン１１の通話スイッチ１８を操作するか、ふろリモコン１の通話スイッチ８を操作する。台所リモコン９の通話スイッチ１８を操作した場合、マイコン１７は通話スイッチ１８の操作入力を受けて、通信手段１６を起動する。通信手段１６は、浴室モニター要求データを送信する。浴室モニター要求データは、ふろリモコン１の通信手段６で受信され、マイコン７に浴室モニター要求データが伝わる。マイコン７は、浴室モニター要求データを受け取ったので、通信手段６を起動させ、マイク２で拾った浴室内の音を自動増幅率制御回路３で増幅した音データを通信手段６から送信する。浴室の音データは、台所リモコン１１の通信手段１６で受信し、増幅回路１５で音データが増幅され、スピーカー１４から出力される。これにより、台所リモコン１１において、浴室の状況が、音で確認することができる。このようなインターホン機能を利用した浴室状況の確認機能が浴室モニター機能である。
【００１９】
自動増幅率制御回路３は、ＡＧＣ（Ａｕｔｏｍａｔｉｃ  Ｇａｉｎ  Ｃｏｎｔｒｏｌ）と呼ばれ、一般的に使用されている。この働きを以下に説明する。マイク２から自動増幅率制御回路３に入力される信号が小さい場合は、増幅率を大きくし、自動増幅率制御回路３から出力される信号が適度に大きくなる。逆に、マイク２から自動増幅率制御回路３に入力される信号が大きい場合は、増幅率を小さくし、自動増幅率制御回路３から出力される信号が適度に小さくなる。これによって、自動増幅率制御回路３から出力される信号は、マイク２で拾う音の大きさの大小に関わらず、ある程度一定のレベルにすることができる。
【００２０】
したがって、台所リモコン１１で聞く浴室モニターの音量は、浴室内の音が小さい場合でも、台所リモコン１１では適度な大きさに大きくなって聞こえ、浴室内の音が大きな場合では、適度な大きさに小さくなって聞こえる。よって、小さな音でも聞こえやすくなり、浴室内事故に気づきやすくなる。また、大きな音は小さくなって聞こえるので、わずらわしくなく、使い勝手が良くなる。
【００２１】
（実施の形態２）
図２は、本発明の第２の実施の形態における給湯機リモコンを備えた給湯機のブロック図を示すものである。
【００２２】
図２において、図１と同じものは、同じ符号を与えている。図１と異なるのは、ふろリモコン１のマイク回路２３は、自動増幅率制御回路ではなく、増幅回路２２である点と、台所リモコン１１のスピーカー回路２５は、自動増幅率制御回路２４を備えている点である。
【００２３】
このように構成された給湯機リモコンでは、マイク２で拾った浴室内の音は、増幅回路２２で増幅され、音データを通信手段６から送信する。浴室の音データは、台所リモコン１１の通信手段１６で受信し、自動増幅率制御回路２４で音データが増幅され、スピーカー１４から出力される。これにより、台所リモコン１１において、浴室の状況が、音で確認することができる。
【００２４】
自動増幅率制御回路２４の働きを以下に説明する。通信手段１６から自動増幅率制御回路２４に入力される信号が小さい場合は、増幅率を大きくし、自動増幅率制御回路２４か
ら出力される信号が適度に大きくなり、スピーカー１４から適度に大きくなった音がでる。逆に、通信手段１６から自動増幅率制御回路２４に入力される信号が大きい場合は、増幅率を小さくし、自動増幅率制御回路２４から出力される信号が適度に小さくなり、スピーカー１４から適度に小さくなった音がでる。
【００２５】
これによって、自動増幅率制御回路２４から出力される信号は、マイク２で拾う音の大きさの大小に関わらず、ある程度一定のレベルにすることができる。
【００２６】
したがって、台所リモコン１１で聞く浴室モニターの音量は、浴室内の音が小さい場合でも、台所リモコン１１では適度な大きさに大きくなって聞こえ、浴室内の音が大きな場合では、適度な大きさに小さくなって聞こえる。よって、小さな音でも聞こえやすくなり、浴室内事故に気づきやすくなる。また、大きな音は小さくなって聞こえるので、わずらわしくなく、使い勝手が良くなる。
【産業上の利用可能性】
【００２７】
以上のように、本発明にかかる給湯機リモコンは、浴室モニター時に、浴室の小さな音でも聞き取りやすい音量にすることができると共に、浴室の大きな音は適度な音量に小さくなるので、使い勝手が良くすることが可能となり、給湯機に限らず、浴室内外をインターホンで接続し、浴室状況の把握を行うようなインターホン機器や、見守り機能への展開が可能である。
【図面の簡単な説明】
【００２８】
【図１】本発明の実施の形態１における給湯機リモコンを備えた給湯機のブロック図
【図２】本発明の実施の形態２における給湯機リモコンを備えた給湯機のブロック図
【符号の説明】
【００２９】
１  ふろリモコン
３  自動増幅率制御回路
９  マイク回路
１１  台所リモコン
２０  スピーカー回路
【図１】
2007278598.tif 000003
【図２】
2007278598.tif 000004